(57)【要約】      （修正有）【課題】被作用面からの取り外し作業が容易な吸盤を提供する。【解決手段】吸盤本体１２と結合体１４とを含み、吸盤本体の内側面は、被作用面に吸着される吸着面として用いられる。結合体は、吸盤本体の中央部における外側面１８から外方へ延在して形成され、結合体の内部にはチャンバー２８が設けられている。吸盤１０は、吸盤本体の内側面１６から結合体まで延在貫通し、チャンバーに連通される貫通孔２６をさらに含む。吸盤が被作用面に吸着され固定された後、結合体を押圧することで吸盤を容易に取り外すことができる。また、結合体を押圧しておいてチャンバー内の気体を流出させ、吸盤本体の内側面を被作用面に当接させることで、強力な吸着効果を得ることができる。【選択図】図２
0003172372.tif 000002
【実用新案登録請求の範囲】
【請求項１】
厚さ方向において互いに背中合わせの内側面及び外側面と、径方向において互いに離間した中央部及び周辺とを含み、前記内側面を被吸着面に吸着する吸着面とする吸盤本体と、
前記厚さ方向に沿って前記吸盤本体の中央部における外側面から外方へ延在形成され、内部にチャンバーが設けられる結合体と、
前記吸盤本体の内側面から前記結合体まで延在貫通し、前記チャンバーに連通される貫通孔と、
を備えることを特徴とする吸盤。
【請求項２】
前記結合体は、中空球状体であり、前記貫通孔は、前記厚さ方向に沿って前記吸盤本体の中央部における内側面から前記結合体まで延在貫通することを特徴とする請求項１に記載の吸盤。
【考案の詳細な説明】
【技術分野】
【０００１】
本考案は、吸盤に関し、特により好ましい吸着能力を提供可能であり、被作用面から容易に取り外される効果を有する吸盤に関するものである。
【背景技術】
【０００２】
一般に、吸盤は、ゴムから円盤状に形成され、一方の面を例えば壁面、テーブル面の作用面に吸着する吸着面とする。使用する際に、吸盤の吸着面を被作用面に向けるとともに吸盤の中央部を被作用面に当接させることにより、吸着面と被作用面との間がほぼ真空状態となることで、吸盤を被吸着面に吸着することが可能となる。
【０００３】
吸盤を容易且つ速やかに被作用面に吸着することができるため、複数の用具（例えばハンガー）は、通常、吸盤により被作用面に固定される。しかしながら、従来の吸盤は、平面に完全に吸着できないのが一般的である。また、吸盤を被作用面に吸着した後、吸盤を被作用面から取り外しようとする場合には、比較的に大きい力で抜き取る必要があるため、ユーザに極めて不便である。
【考案の概要】
【０００４】
そこで、本考案は、上述した課題を解決するための吸盤を提供することを目的とする。この吸盤は、例えば壁面、テーブル面の被作用面に吸着するためのより好ましい吸着能力を提供可能であり、且つ、被作用面から容易に取り外されることができる。また、この吸盤は、例えば飯杓子の器具と容易に組み合わせ可能に構成されている。
【課題を解決するための手段】
【０００５】
本考案に係る吸盤は、吸盤本体と結合体とを含み、吸盤本体の内側面は、被作用面に吸着される吸着面として用いられる。結合体は、吸盤本体の中央部における外側面から外方へ延在して形成され、結合体の内部にチャンバーが設けられている。吸盤は、吸盤本体の内側面から結合体まで延在貫通し、チャンバーに連通される貫通孔をさらに含む。吸盤が被作用面に吸着され固定された後、結合体を押圧することで吸盤を容易に取り外すことができる。また、結合体を押圧しておいてチャンバー内の気体を流出させ、吸盤本体の内側面を被作用面に当接させることで、被作用面に強力に吸着する効果を得ることができる。
【考案の効果】
【０００６】
本考案に係る吸盤によれば、より好ましい吸着能力を提供可能であり、且つ、被作用面から容易に取り外される効果を有する。
【図面の簡単な説明】
【０００７】
【図１】本考案に係る一実施例の吸盤の立体図を示す。
【図２】図１の吸盤の断面図を示す。
【図３】図１の吸盤が被作用面に吸着される一実施例の断面図を示す。
【図４】図３の吸盤が被作用面から取り外される動作模式図を示す。
【図５】図１の吸盤が被作用面に吸着される他の実施例の断面図を示す。
【図６】図１の吸盤が飯杓子の一部として構成される断面図を示す。
【図７】図６の飯杓子の平面図を示す。
【考案を実施するための形態】
【０００８】
図１及び図２は、本考案に係る吸盤１０を示す。吸盤１０は、ゴム又は硬質合成樹脂等、弾性変更可能な材料からなる。吸盤１０は、吸盤本体１２と結合体１４とを含む。吸盤本体１２は、円盤状となっており、厚さ方向において互いに背中合わせの内側面１６及び外側面１８と、径方向において互いに離間した中央部２０及び周辺２２とを含み、内側面１６を例えば壁面、テーブル面の被作用面２４の吸着面（図３参照）に吸着する吸着面とする。この実施例において、吸盤本体１２の周辺２２が中央部２０に向けて弧状に延在突出されることで、内側面１６は、中央部が隆起した弧面状に形成される。
【０００９】
結合体１４は、該厚さ方向に沿って吸盤本体１２の中央部２０における外側面１８から外方へ延在形成され、この実施例において、球状体となっており、内部にチャンバーが設けられている。
【００１０】
吸盤１０は、該厚さ方向に沿って吸盤本体１２の中央部２０における内側面１６から結合体１４まで延在貫通し、チャンバー２８に連通される貫通孔をさらに含む。
【００１１】
図３に示すように、吸盤１０は、一つの実施例において、吸盤本体１２の内側面１６を被作用面２４に当接させることにより、内側面１６と被作用面２４との間がほぼ真空状態となることで、吸盤１０を被作用面２４に吸着し固定することができる。図３の吸盤１０を被作用面２４から取り外しようとする場合は、結合体１４（図４の矢印２９参照）を押圧することにより、チャンバー２８内の気体が貫通孔２６を介して被作用面２４（例えばチャンバー２８内の矢印のごとく）に流れることで、吸盤本体１２の吸着力を解除することができる。従って、吸盤１０を被作用面２４から容易に取り外すことができる。
【００１２】
図５に示すように、吸盤１０は、他の実施例において、結合体１４（図５の符号２９参照）を押圧しておいてチャンバー２８内の気体を流出させ、吸盤本体１２の内側面１６を被作用面２４に当接させることにより、内側面１６と被作用面２４との間がほぼ真空状態となることで、被作用面２４により強力に吸着され固定されることが可能となる。具体的に言えば、結合体１４を押圧することにより吸盤本体１２の内側の空気を十分に排出させることで、吸盤本体１２の内側面１６が被作用面２４に吸着される気密性は効果的に向上し、さらには吸盤１０が重力によって容易に落下することはなく、重い器具の引っ掛けに耐えることができる。
【００１３】
図６及び図７は、本考案に係る吸盤１０を例えば飯杓子３０の器具と容易に組み合わせて使用可能な様子を示す。飯杓子３０は、硬質プラスチック材料からなり、飯杓子本体３２とグリップ３４とを含み、グリップ３４の底部に収容室３６が設けられている。吸盤１０の結合体１４は、略筒状となっており、上端が収容室３６内に収容されることで、吸盤１０の結合体１４とグリップ３４の底部とが一体に結合され、完全な飯杓子に形成される。また、吸盤１０の結合体１４は、グリップ３４の底部と脱着可能に結合されればよい。飯杓子３０の引っ掛け又は取り外しを行う場合には、軟性材料からなる結合体１４（図７の符号２９参照）を押圧することにより吸盤１０の吸着又は取り外しを行うことができる。
【００１４】
他の実施例にいおいて、本考案に係る吸盤１０の結合体１４は、例えば掛けフック（図示せず）の器具と組み合わせて使用することができる。吸盤本体１２を被作用面に吸着し固定した後、該掛けフックは、物品の引っ掛けとして用いられることが可能である。
【００１５】
上記のように、これらの実施の形態は本考案の好ましい実施例を例示するためのものであり、本考案に係る構造に基づいてなされる等価の変化であれば、本考案の技術範囲に入るものである。
【００１６】
以上のように、本考案では、厚さ方向において互いに背中合わせの内側面及び外側面と、径方向において互いに離間した中央部及び周辺とを含み、前記内側面を被吸着面に吸着する吸着面とする吸盤本体と、前記厚さ方向に沿って前記吸盤本体の中央部における外側面から外方へ延在形成され、内部にチャンバーが設けられる結合体と、前記吸盤本体の内側面から前記結合体まで延在貫通し、前記チャンバーに連通される貫通孔と、を備えることを特徴とする吸盤とするものである。
【００１７】
また、前記結合体は、中空球状体であり、前記貫通孔は、前記厚さ方向に沿って前記吸盤本体の中央部における内側面から前記結合体まで延在貫通するものとする。
【産業上の利用可能性】
【００１８】
本考案に係る吸盤によれば、より好ましい吸着能力を提供可能であり、且つ、被作用面から容易に取り外される効果を有する。
【符号の説明】
【００１９】
１０  吸盤
１２  吸盤本体
１４  結合体
１６  内側面
１８  外側面
２０  中央部
２２  周辺
２４  被作用面
２６  貫通孔
２８  チャンバー
２９  矢印
３０  飯杓子
３２  飯杓子本体
３４  グリップ
３６  収容室
【図１】
0003172372.tif 000003
【図２】
0003172372.tif 000004
【図３】
0003172372.tif 000005
【図４】
0003172372.tif 000006
【図５】
0003172372.tif 000007
【図６】
0003172372.tif 000008
【図７】
0003172372.tif 000009